(57)【要約】【課題】容易に施工でき、かつ、十分な採光を得ることができ、しかも、外観に優れた屋根の取付構造及び建物を提供する。【解決手段】建物本体２の外側上端部に複数の束４が所定間隔で立設され、これら複数の束４の上端部に各屋根パネル５が建物本体２の略中央部に向けて下方に傾斜するように配置され、屋根パネル５の上端部が束４の上端部に支持されている。そして、複数の束４間にそれぞれ窓部材（例えば、サッシ枠１０、窓ガラス１７）が設けられている。【選択図】図１
2005030121.tif 000002
【特許請求の範囲】
【請求項１】
複数の屋根パネルが建物本体に取り付けられてなる屋根の取付構造であって、
前記建物本体の外側上端部に複数の束が所定間隔で立設され、これら複数の束の上端部に前記各屋根パネルが前記建物本体の略中央部に向けて下方に傾斜するように配置され、前記屋根パネルの上端部が前記束の上端部に支持されており、
前記複数の束間にそれぞれ窓部材が設けられていることを特徴とする屋根の取付構造。
【請求項２】
請求項１に記載の屋根の取付構造において、
前記建物本体の上端部を構成する壁パネルの内側に連結部材が設けられており、この連結部材によって前記束が前記壁パネルに連結され、前記建物本体の上端部に立設されていることを特徴とする屋根の取付構造。
【請求項３】
請求項１又は２に記載の屋根の取付構造において、
前記屋根パネルの下端部は、前記建物本体の略中央部に設けられた壁パネルの上端部に支持されていることを特徴とする屋根の取付構造。
【請求項４】
請求項１〜３のいずれか一項に記載の屋根の取付構造において、
前記建物本体の略中央部には、屋外に通じる吹き抜けが形成されており、
前記屋根パネルの下端部が前記吹き抜けに面していることを特徴とする屋根の取付構造。
【請求項５】
請求項１〜４のいずれか一項に記載の屋根の取付構造を有することを特徴とする建物。
【発明の詳細な説明】
【技術分野】
【０００１】
本発明は、複数の屋根パネルが建物本体に取り付けられてなる屋根の取付構造及び建物に関する。
【背景技術】
【０００２】
住宅の工業化に伴って、住宅の屋根や壁や床を予めパネルとして工場等で製造しておき、このようなパネルを建築現場において組み立てていくことにより、住宅の施工を行うようにしたパネル工法が近年盛んとなっている。
このようなパネル工法に用いられる屋根パネルとしては、芯材を矩形状に組み立てるとともに、この矩形枠の内部に補強用の芯材を縦横に組み付けて枠体を構成し、この枠体の一方の面に合板等の面材が貼着されたものが一般的である。
そして、上記屋根パネルは、壁パネルや床パネル等によって構築された躯体上に敷き込まれ、主として壁パネルによって支持されている。
【０００３】
このように施工された屋根には、切妻屋根、寄棟屋根等の種々の勾配屋根があるが、これらの屋根は、建物本体の外側から略中央部に向かって上方に傾斜していることから、居室内に採り込まれる光は屋根の軒先によって遮られ、十分な採光を得ることができないとされている。
そこで、十分な採光を得るため、屋根パネルに天窓を設ける場合がある。天窓は、屋根パネルの一部に屋根構造材を設けない、開口した部分を形成し、その開口した部分に室外からの光が透過可能な透光板を設ける構造とされている（例えば、特許文献１参照）。
【特許文献１】特開平１０−２４５９２４号公報
【発明の開示】
【発明が解決しようとする課題】
【０００４】
しかしながら、上記特許文献１に記載のような天窓を設ける場合、屋根パネルの構造が複雑となり、部品点数も多く施工に手間がかかる。また、天窓を設けた一部からしか光が採り込まれず十分な採光が得られないという問題がある。さらに、十分な採光を得るために天窓を複数設けると、見栄えに優れないという問題が生じる。
【０００５】
本発明は、上記事情に鑑みてなされたもので、容易に施工でき、かつ、十分な採光を得ることができ、しかも、外観に優れた屋根の取付構造及び建物を提供することを課題としている。
【課題を解決するための手段】
【０００６】
上記課題を解決するために、請求項１の発明は、例えば、図１及び図６に示すように、複数の屋根パネル５が建物本体２に取り付けられてなる屋根の取付構造であって、
前記建物本体２の外側上端部に複数の束４が所定間隔で立設され、これら複数の束４の上端部に前記各屋根パネル５が前記建物本体２の略中央部に向けて下方に傾斜するように配置され、前記屋根パネル５の上端部が前記束４の上端部に支持されており、
前記複数の束４間にそれぞれ窓部材（例えば、サッシ枠１０、窓ガラス１７）が設けられていることを特徴とする。
【０００７】
請求項１の発明によれば、建物本体２の外側上端部に所定間隔で立設された複数の束４によって、屋根パネル５が建物本体２の略中央部に向けて下方に傾斜するように屋根パネル５の上端部が支持され、複数の束４間にそれぞれ窓部材１０、１７が設けられているので、屋根パネル５が建物本体２の外側から略中央部に向かって上方に傾斜している場合に比して、屋根パネル５の軒先によって光が遮られることなく、窓部材１０、１７を介して建物本体２内に射し込む光を効率良く採り込むことができ、十分な採光を得ることができる。
また、建物本体２の外側上端部に立設された束４に屋根パネル５の上端部が支持されていることから、天井面が高く、空間的な広がりのある居室とすることができる。
さらに、屋根パネル５が建物本体２の略中央部に向けて下方に傾斜しているので、斬新なデザインとすることができる。
また、屋根パネル５に落ちた雨水は、建物本体２の略中央部側に集中して排水処理できるため、建物本体２の外側の外壁に雨樋を設ける必要がなくなり、この点においても外観に優れる。
【０００８】
請求項２の発明は、例えば、図６に示すように、請求項１に記載の屋根の取付構造において、
前記建物本体２の上端部を構成する壁パネル３の内側に連結部材（例えば、Ｈ型鋼８、Ｌ字型の連結金具１２）が設けられており、この連結部材８、１２によって前記束４が前記壁パネル３に連結され、前記建物本体２の上端部に立設されていることを特徴とする。
【０００９】
請求項２の発明によれば、壁パネル３の内側に設けられた連結部材８、１２によって束４が壁パネル３に連結されているので、単純な構造となり、束４を建物本体２の上端部に容易に立設することができる。
【００１０】
請求項３の発明は、例えば、図１に示すように、請求項１又は２に記載の屋根の取付構造において、
前記屋根パネル５の下端部は、前記建物本体２の略中央部に設けられた壁パネル３’の上端部に支持されていることを特徴とする。
【００１１】
請求項３の発明によれば、屋根パネル５の下端部は、建物本体２の略中央部に設けられた壁パネル３’の上端部に支持されているので、単純な構造となり、屋根パネル５を建物本体２に容易に取り付けることができる。
【００１２】
請求項４の発明は、例えば、図１に示すように、請求項１〜３のいずれか一項に記載の屋根の取付構造において、
前記建物本体２の略中央部には、屋外に通じる吹き抜け２aが形成されており、
前記屋根パネル５の下端部が前記吹き抜け２aに面していることを特徴とする。
【００１３】
請求項４の発明によれば、屋根パネル５の下端部が建物本体２の略中央部に設けられた外部に通じる吹き抜け２aに面しているので、吹き抜け２aに面する居室に、吹き抜け２aに望む窓Ｗ（図７〜図９参照）を設けることによって、吹き抜け２aからも居室内に光を採り込むことができ、より一層開放感のある居室とすることができる。
また、吹き抜け２aには中庭１１５（図７参照）等を配置することができ、この中庭１１５等を種々の用途に使用できることから機能性にも優れる。
【００１４】
請求項５の発明は、例えば、図１及び図６に示すように、請求項１〜４のいずれか一項に記載の屋根の取付構造を有することを特徴とする。
【００１５】
請求項５の発明によれば、建物本体２の外側上端部に所定間隔で立設された複数の束４によって、屋根パネル５が建物本体２の略中央部に向けて下方に傾斜するように屋根パネル５の上端部が支持され、複数の束４間にそれぞれ窓部材１０、１７が設けられた屋根の取付構造を有しているので、屋根パネル５の軒先によって光が遮られることなく、窓部材１０、１７を介して建物本体２内に射し込む光を効率良く採り込むことができ、十分な採光を得ることができる。
また、建物本体２の外側上端部に立設された束４に屋根パネル５の上端部が支持されていることから、天井面が高く、空間的な広がりのある居室とすることができる。
さらに、屋根パネル５が建物本体２の略中央部に向けて下方に傾斜しているので、斬新なデザインの建物１とすることができる。
また、屋根パネル５に落ちた雨水は、建物本体２の略中央部側に集中して排水処理できるため、建物本体２の外側の外壁に雨樋を設ける必要がなくなり、この点においても外観に優れる。
【発明の効果】
【００１６】
請求項１の発明によれば、窓部材を介して建物本体内に射し込む光を効率良く採り込むことができ、十分な採光を得ることができる。また、建物本体の外側上端部に立設された束に屋根パネルの上端部が支持されていることから、天井面が高く、空間的な広がりのある居室とすることができる。さらに、斬新なデザインで外観に優れる。
【００１７】
請求項２の発明によれば、請求項１と同様の効果を得ることができるのは勿論のこと、単純な構造となり、束を建物本体の上端部に容易に立設することができる。
【００１８】
請求項３の発明によれば、請求項１又は２と同様の効果を得ることができるのは勿論のこと、単純な構造となり、屋根パネルを建物本体に容易に取り付けることができる。
【００１９】
請求項４の発明によれば、請求項１〜３のいずれかと同様の効果を得ることができるのは勿論のこと、吹き抜けに面する居室に窓を設けることによって吹き抜けからも居室内に採光を採り込むことができ、より一層開放感のある居室とすることができる。また、吹き抜けには中庭等を配置することができ、種々の用途に使用できることから機能性にも優れる。
【００２０】
請求項５の発明によれば、窓部材を介して建物本体内に射し込む光を効率良く採り込むことができ、十分な採光を得ることができる。また、建物本体の外側上端部に立設された束に屋根パネルの上端部が支持されていることから、天井面が高く、空間的な広がりのある居室とすることができる。さらに、斬新なデザインで外観に優れる。
【発明を実施するための最良の形態】
【００２１】
以下、本発明の実施の形態を図面に基づいて説明する。
図１は、本発明の実施の形態を示すためのもので建物の東立面図における断面図、図２は、建物の西立面図、図３は、建物の南立面図、図４は、建物の東立面図、図５は、建物の北立面図、図６は、屋根の取付構造を示す側断面図、図７〜図９は、１階〜３階部分における平面図である。
【００２２】
まず、本発明に係る屋根の取付構造を有する建物の構成について説明する。
図１〜図５に示すように、本発明の建物１は３階建てであり、木質パネル工法により施工されている。ただし、平屋から複数階まで対応するものである。
木質パネル工法とは、予め工場等で製造された木質パネルを現場で基礎に組み付けていくことにより、建物の床、壁、屋根等を構築するものである。前記木質パネルとは、例えば、框材を矩形状に組み立てるとともに、この矩形枠の内部に補強用の桟材を縦横に組み付けて枠体を構成し、この枠体の一方の面に合板などの面材が設けられてなる。
【００２３】
この建物１は、平面視略正方形状に形成された建物本体２の略中央部に、１階部分１Ａから３階部分１Ｃを貫通し、屋外に通じる吹き抜け２aが形成されている。そして、１階部分１Ａは、平面視略コ字型、２階部分１Ｂ及び３階部分１Ｃは、平面視略ロ字型である（図７〜図９参照）。
また、建物本体２の上端部、すなわち３階部分１Ｃを構成する壁パネルＫの上端部には、さらに壁パネル３、３’が立設されている。そして、壁パネル３、３’のうち建物本体２の外側に配置された壁パネル３（つまり、吹き抜け２a部分を形成する壁パネル３’を除く壁パネル３）の上端部に複数の束４が所定間隔で立設され、これら複数の束４の上端部に各屋根パネル５が建物本体２の略中央部に向けて下方に傾斜するように配置されている。
屋根パネル５の上端部は上述の束４により支持され、一方、屋根パネル５の下端部は、建物本体２の略中央部における上端部を構成する壁パネル３’により支持されている（図１参照）。さらに、複数の束４間にそれぞれ窓部材（後述するサッシ枠１０、窓ガラス１７）が設けられている。
【００２４】
なお、壁パネルＫは、通常、パネル工法で使用される上述したもので、壁パネル３、３’は、該壁パネル３、３’の幅方向に延在する合板３aを多数積層してなるものである。
【００２５】
以下、具体的に屋根の取付構造について説明する。なお、ここで説明する屋根の取付構造は、建物本体２の外側上端部（壁パネル３）と屋根パネル５との取付構造の場合についてである。
図１及び図６に示すように、３階部分１Ｃの壁パネル３の外側には、胴縁６を介してタイル張りの外装材７が取り付けられている。また、壁パネル３の内側には、壁パネル３の長手方向に直交する方向に延在するＨ型鋼８が取り付けられている。
また、壁パネル３の上端部には切欠部３bが形成されており、この切欠部３b及びＨ型鋼８の一方の片にボルトＢが挿通され、該ボルトＢにナットＮが締結されることによって壁パネル３とＨ型鋼８とが連結されている。
【００２６】
Ｈ型鋼８の他方の片には石膏ボード等の内装材９が取り付けられ、内装材９の上端部には後述するサッシ枠１０の下端部が係合する化粧材１１が設けられている。
また、Ｈ型鋼８の溝部内には側断面視Ｌ字型の連結金具１２が嵌め込まれており、このＬ字型の連結金具１２に複数の束４がボルトＢ及びナットＮによって連結され、壁パネル３の上方に立設されている。
【００２７】
束４の上端部は、側断面視略Ｌ字型のアングル部材１３aの一方の片に連結され、この一方の片に同形状のアングル部材１３bの一方の片が当接している。そして、アングル部材１３bには角材１４が設置され、角材１４上には側断面視略三角形状の結合桁１５が設置されている。これら束４の上端部、２つのアングル部材１３a、１３b及び角材１４はボルトＢが挿通されてナットＮによって連結されている。
このように設置された結合桁１５、角材１４及び束４の上端部を覆い、かつ、建物本体２の略中央部に向けて下方に傾斜するように屋根パネル５が設置されている。
【００２８】
また、複数の束４間で、壁パネル３の上端部にはそれぞれサッシ枠１０が設けられている。そして、サッシ枠１０の下端部周囲及びサッシ枠１０の上端部周囲には、発泡ウレタン１６が充填され、防水処理が施されている。このように設置されたサッシ枠１０には窓ガラス１７が嵌め込まれている。
また、サッシ枠１０の下端部と壁パネル３の上端部との間には水切り１８が取り付けられている。
【００２９】
次に、上述した建物１の１階〜３階部分の構成について、図７〜図９に基づいて説明する。
１階部分１Ａは、図７に示すようにカーポート１０１に隣接して玄関１０２、玄関ホール１０３が配設されている。玄関ホール１０３には階段Ｓが設けられ、廊下１０４にはエレベータＥ、さらに奥には洋室１０５が配設されている。この洋室１０５には便所１０６が設けられ、洋室１０５に隣接してミーティングルーム１０７が配設され、ミーティングルーム１０７を隔てて寝室１０８が配設されている。
また、寝室１０８に隣接して台所１０９、便所１１０、浴室１１１、洗面所１１２が配設されている。台所１０９には外に出入りできる勝手口１１３が設けられ、台所１０９の奥には寝室１１４が配設されている。
また、中央に設けられた中庭１１５に面する廊下１０４及びミーティングルーム１０７には、中庭１１５に望む窓Ｗが設けられ、ミーティングルーム１０７からは中庭１１５に出入り出来るようになっている。
【００３０】
２階部分１Ｂは、図８に示すように中央が吹き抜け２aとなっている。また、１階からの階段Ｓに連続する階段ホール１１６には、エレベータＥや便所１１７が設けられており、廊下１１８を介して洋室１１９が配設されている。さらに、この廊下１１８に連続してバルコニー１２０を有するファミリールーム１２１が配設され、このファミリールーム１２１は吹き抜け２aに面している。
また、コーナー部には、ファミリールーム１２１の引戸を介して出入りできる洋室１２２が配設され、この洋室１２２の奥にもウォークインクローゼット１２４を有する洋室１２３が配設されている。
【００３１】
一方、階段ホール１１６に隣接して前記洋室１１９と反対側には、洗面所１２５や浴室１２６が設けられており、これら洗面所１２５及び浴室１２６が配置される廊下１２７からは、バルコニー１２８に出入りできるようになっている。このバルコニー１２８は、吹き抜け２aに面しており、上述のウォークインクローゼット１２４からも出入りできるようになっている。
また、吹き抜け２aに面する階段ホール１１６、ファミリールーム１２１及び洋室１２２には、吹き抜け２aに望む窓Ｗがそれぞれ設けられている。
【００３２】
３階部分１Ｃは、図９に示すように中央が吹き抜け２aとなっている。また、２階からの階段Ｓに連続して階段ホール１２９が設けられており、階段ホール１２９にはエレベータＥや便所１３０が設けられている。
また、廊下１３１を介して客間１３２が配設されている。さらに、この廊下１３１に連続してバルコニー１３３を有する居間１３４が配設され、居間１３４に連続して食堂１３５、さらに奥には台所１３６が配設されている。
【００３３】
一方、階段ホール１２９に隣接して客間１３２と反対側には和室１３７が配設されている。また、和室１３７に隣接してバルコニー１３８を有するホール１３９が配設されている。このホール１３９は、台所１３６からも出入りできるようになっている。
また、吹き抜け２aに面する階段ホール１２９、居間１３４、食堂１３５、台所１３６、和室１３７及びホール１３９には、吹き抜け２aに望む窓Ｗがそれぞれ設けられている。
【００３４】
以上、本発明の実施の形態によれば、建物本体２の外側上端部に所定間隔で立設された複数の束４の上端部に各屋根パネル５が建物本体２の略中央部に向けて下方に傾斜するように配置され、屋根パネル５の上端部が束４の上端部に支持されており、複数の束４間に窓部材であるサッシ枠１０、窓ガラス１７が設けられているので、建物本体２内に射し込む光を効率良く採り込むことができ、十分な採光を得ることができる。
また、建物本体２の外側上端部に立設された束４に屋根パネル５の上端部が支持されていることから、天井面が高く、空間的な広がりのある居室とすることができる。さらに、斬新なデザインで、建物本体２の略中央部に位置する吹き抜け２aに雨水を集中して排水処理することができるので、建物本体２の外側に雨樋を設ける必要がなくこの点においても外観に優れる。
【００３５】
また、壁パネル３の内側に設けられたＨ型鋼８、Ｌ字型の連結金具１２によって束４が壁パネル３に連結されているので、単純な構造となり、束４を建物本体２の上端部に容易に立設することができる。
さらに、束４の上端部にはアングル部材１３a、１３bが設けられており、これらアングル部材１３a、１３b及び束４の上端部を覆うようにして屋根パネル５が取り付けられているので、屋根パネル５を束４に容易に取り付けることができる。
【００３６】
一方、屋根パネル５の下端部は、建物本体２の略中央部に設けられた壁パネル３’の上端部に支持されているので、単純な構造となり、屋根パネル５を建物本体２に容易に取り付けることができる。
【００３７】
また、吹き抜け２aに面する居室等に吹き抜け２aに望む窓Ｗがそれぞれ設けられているので、吹き抜け２aからも居室等に光を採り込むことができ、より一層開放感を持たせることができる。
【００３８】
なお、本発明は、上記実施の形態に限定されるものではなく、その要旨を逸脱しない範囲で適宜変更可能である。
例えば、本実施の形態では複数の束４間に設けられる窓部材として、サッシ枠１０と窓ガラス１７としたが、これに限らずシャッター等であっても良い。
【図面の簡単な説明】
【００３９】
【図１】本発明の実施の形態を示すためのもので、建物の東立面図における断面図である。
【図２】同、建物の西立面図である。
【図３】同、建物の南立面図である。
【図４】同、建物の東立面図である。
【図５】同、建物の北立面図である。
【図６】同、屋根の取付構造を示す側断面図である。
【図７】同、建物の１階部分における平面図である。
【図８】同、建物の２階部分における平面図である。
【図９】同、建物の３階部分における平面図である。
【符号の説明】
【００４０】
１  建物
２  建物本体
２a  吹き抜け
３、３’  壁パネル
４  束
５  屋根パネル
８  Ｈ型鋼（連結部材）
１０  サッシ枠（窓部材）
１２  Ｌ字型の連結金具（連結部材）
１７  窓ガラス（窓部材）
【図１】
2005030121.tif 000003
【図２】
2005030121.tif 000004
【図３】
2005030121.tif 000005
【図４】
2005030121.tif 000006
【図５】
2005030121.tif 000007
【図６】
2005030121.tif 000008
【図７】
2005030121.tif 000009
【図８】
2005030121.tif 000010
【図９】
2005030121.tif 000011